(57)【特許請求の範囲】
【請求項１】
複数の回転機械を据え付ける鋼製ばね支持架台上部の同回転機械の軸受部取付け箇所近傍に取り付けた複数の傾斜計及び変位計を備えるミスアライメント検出装置と、同鋼製ばね支持架台の下面の複数箇所に取り付ける複数の加熱パネルと、前記ミスアライメント検出装置からの信号を受けて前記鋼製ばね支持架台を加熱する前記加熱パネルの選定と加熱量の計算を行い各加熱パネルに加熱指令を出す演算装置とを有してなることを特徴とする鋼製ばね支持架台のミスアライメント制御装置。
【請求項２】
複数の回転機械を据え付ける鋼製ばね支持架台上部の同回転機械の軸受部取付け箇所近傍に取り付けた複数の傾斜計及び変位計を備えるミスアライメント検出装置と、同鋼製ばね支持架台の上面の複数箇所に取り付ける複数の冷却パネルと、前記ミスアライメント検出装置からの信号を受けて前記鋼製ばね支持架台を冷却する前記冷却パネルの選定と冷却量の計算を行い各冷却パネルに冷却指令を出す演算装置とを有してなることを特徴とする鋼製ばね支持架台のミスアライメント制御装置。
【請求項３】
複数の回転機械を据え付ける鋼製ばね支持架台上部の同回転機械の軸受部取付け箇所近傍に取り付けた複数の傾斜計及び変位計を備えるミスアライメント検出装置と、同鋼製ばね支持架台の下面の複数箇所に取り付ける複数の加熱パネルと、同鋼製ばね支持架台の上面の複数箇所に取り付ける複数の冷却パネルと、前記ミスアライメント検出装置からの信号を受けて前記鋼製ばね支持架台を加熱する前記加熱パネルの選定と加熱量の計算を行い各加熱パネルに加熱指令を出し且つ同鋼製ばね支持架台を冷却する前記冷却パネルの選定と冷却量の計算を行い各冷却パネルに冷却指令を出す演算装置とを有してなることを特徴とする鋼製ばね支持架台のミスアライメント制御装置。
【請求項４】
複数の回転機械を据え付ける鋼製ばね支持架台上部の同回転機械の軸受部取付け箇所近傍に取り付けた複数の傾斜計及び変位計を備えるミスアライメント検出装置と、同鋼製ばね支持架台の下面端部側から上面中央部側に張られ張力調整装置を有する複数の張力ワイヤと、前記ミスアライメント検出装置からの信号を受けて張力を与える前記張力ワイヤの選定と張力の計算を行い各前記張力ワイヤに張力指令を出す演算装置とを有してなることを特徴とする鋼製ばね支持架台のミスアライメント制御装置。
【発明の詳細な説明】
【０００１】
【発明の属する技術分野】
本発明は蒸気タービン用の鋼製ばね支持架台のミスアライメントを調整するための制御装置に関する。
【０００２】
【従来の技術】
大容量蒸気タービンの架台は、従来は柱でデッキプレートが支えられたものか、ばね支持架台の場合でも鉄筋コンクリート製となっている。鉄筋コンクリート製架台は、鉄筋コンクリートの熱容量が高いため特別なミスアライメント制御装置は必要ない。鋼製架台でもデッキプレートが柱で支えられたものは、デッキプレートの剛性が高くなるために特別なミスアライメント制御装置は必要ない。
【０００３】
1,000ＭＷ級蒸気タービンの架台としては、ばねで支持された鋼製架台（以下、「鋼製ばね支持架台」という）を採用した実績は見あたらない。鋼製ばね支持架台を大容量蒸気タービンに採用した場合、1,000 ＭＷ級蒸気タービンの架台の長さは通常では５０ｍ以上となるので、鋼製ばね支持架台は従来のコンクリート架台に比べ熱により変形しやすく、ロータ軸受け下のミスアライメントが発生しやすい。複数の回転機械におけるアライメントは重要であり、ミスアライメント量が大きくなるとロータの振動が大きくなり、蒸気タービンの運転に支障が生じるという問題があった。
【０００４】
図１３，図１４および図１５に従来の鋼製ばね支持架台を用いた蒸気タービンにおける概略機器配置例を示し、鋼製ばね支持架台の熱による変形につき説明する。鋼製ばね支持架台１には複数の回転機械、すなわち発電機車室２、復水器３、復水器と一体構造となっている低圧タービン車室４、中圧タービン車室５、高圧タービン車室６が据付けられている。
【０００５】
鋼製ばね支持架台１の熱による変形は以下の要因により発生する。
（１）図１３に示すように、低圧タービン車室４と一体となった復水器３に上下の熱伸び２１が生ずることにより、鋼製ばね支持架台１を上方に押し上げ、鋼製ばね支持架台１が上向きに反る。
（２）図１４に示すように、発電機車室２及び低圧タービン車室４、中圧タービン車室５、高圧タービン車室６の各車室の熱伸び２２により生じる鋼製ばね支持架台１上面での摩擦力２３により、鋼製ばね支持架台１が上向きに反る。
（３）図１５に示すように、鋼製ばね支持架台１の上面が熱を受けることにより、鋼製ばね支持架台１の上面に熱伸び２４が生じ、鋼製ばね支持架台１が上向きに反る。
【０００６】
【発明が解決しようとする課題】
しかしながら上記のような鋼製ばね支持架台の熱変形等により生じるミスアライメントの程度は運転状況により異なり、全ての運転状況に適したアライメントを予め設定することは困難であった。
【０００７】
本発明は、かかる従来の鋼製ばね支持架台における問題を解決し、個々の運転状況に応じて随意にアライメントが調整できるような鋼製ばね支持架台のミスアライメント制御装置を提供することを課題とするものである。
【０００８】
【課題を解決するための手段】
（１）本発明は上記の課題を解決するためになされたものであって、請求項１の発明は、複数の回転機械を据え付ける鋼製ばね支持架台上部の同回転機械の軸受部取付け箇所近傍に取り付けた複数の傾斜計及び変位計を備えるミスアライメント検出装置と、同鋼製ばね支持架台の下面の複数箇所に取り付ける複数の加熱パネルと、前記ミスアライメント検出装置からの信号を受けて前記鋼製ばね支持架台を加熱する前記加熱パネルの選定と加熱量の計算を行い各加熱パネルに加熱指令を出す演算装置とを有してなることを特徴とする鋼製ばね支持架台のミスアライメント制御装置を提供するものである。
【０００９】
すなわち請求項１の発明によれば、複数の傾斜計及び変位計によりミスアライメント検出装置は鋼製ばね支持架台が上向きに反った変形を受けたときは各計測箇所のミスアライメントを検出し、それに基づき演算装置はどの加熱パネルをどの程度加熱すべきかを計算し加熱パネルに加熱指令を出し、それぞれの加熱パネルは加熱指令に従い鋼製ばね支持架台の下面を加熱するので、鋼製ばね支持架台は下向きに反る熱変形を受けて変形が相殺されミスアライメントを減少でき、加熱指令により鋼製ばね支持架台のミスアライメント量の修正の調整も自由にできる。
【００１０】
（２）また、請求項２の発明は、複数の回転機械を据え付ける鋼製ばね支持架台上部の同回転機械の軸受部取付け箇所近傍に取り付けた複数の傾斜計及び変位計を備えるミスアライメント検出装置と、同鋼製ばね支持架台の上面の複数箇所に取り付ける複数の冷却パネルと、前記ミスアライメント検出装置からの信号を受けて前記鋼製ばね支持架台を冷却する前記冷却パネルの選定と冷却量の計算を行い各冷却パネルに冷却指令を出す演算装置とを有してなることを特徴とする鋼製ばね支持架台のミスアライメント制御装置を提供するものである。
【００１１】
すなわち請求項２の発明によれば、複数の傾斜計及び変位計によりミスアライメント検出装置は鋼製ばね支持架台が上向きに反った変形を受けたときは各計測箇所のミスアライメントを検出し、それに基づき演算装置はどの冷却パネルをどの程度冷却すべきかを計算し冷却パネルに冷却指令を出し、それぞれの冷却パネルは冷却指令に従い鋼製ばね支持架台の下面を冷却するので、鋼製ばね支持架台は下向きに反る熱変形を受けて変形が相殺されミスアライメントを減少でき、冷却指令により鋼製ばね支持架台のミスアライメント量の修正の調整も自由にできる。
【００１２】
（３）請求項３の発明は、複数の回転機械を据え付ける鋼製ばね支持架台上部の同回転機械の軸受部取付け箇所近傍に取り付けた複数の傾斜計及び変位計を備えるミスアライメント検出装置と、同鋼製ばね支持架台の下面の複数箇所に取り付ける複数の加熱パネルと、同鋼製ばね支持架台の上面の複数箇所に取り付ける複数の冷却パネルと、前記ミスアライメント検出装置からの信号を受けて前記鋼製ばね支持架台を加熱する前記加熱パネルの選定と加熱量の計算を行い各加熱パネルに加熱指令を出し且つ同鋼製ばね支持架台を冷却する前記冷却パネルの選定と冷却量の計算を行い各冷却パネルに冷却指令を出す演算装置とを有してなることを特徴とする鋼製ばね支持架台のミスアライメント制御装置を提供するものである。
【００１３】
すなわち請求項３の発明によれば、複数の傾斜計及び変位計によりミスアライメント検出装置は鋼製ばね支持架台が上向きに反った変形を受けたときは各計測箇所のミスアライメントを検出し、それに基づき演算装置はどの加熱パネルをどの程度加熱すべきかを計算し加熱パネルに加熱指令を出し且つどの冷却パネルをどの程度冷却すべきかを計算し冷却パネルに冷却指令を出し、それぞれの加熱パネルは加熱指令に従い鋼製ばね支持架台の下面を加熱し且つそれぞれの冷却パネルは冷却指令に従い鋼製ばね支持架台の下面を冷却するので、鋼製ばね支持架台は下向きに反る熱変形を受けて変形が相殺されミスアライメントを減少でき、加熱指令と冷却指令により鋼製ばね支持架台のミスアライメント量の修正の調整も自由にできる。
【００１４】
（４）また、請求項４の発明は、複数の回転機械を据え付ける鋼製ばね支持架台上部の同回転機械の軸受部取付け箇所近傍に取り付けた複数の傾斜計及び変位計を備えるミスアライメント検出装置と、同鋼製ばね支持架台の下面端部側から上面中央部側に張られ張力調整装置を有する複数の張力ワイヤと、前記ミスアライメント検出装置からの信号を受けて張力を与える前記張力ワイヤの選定と張力の計算を行い各前記張力ワイヤに張力指令を出す演算装置とを有してなることを特徴とする鋼製ばね支持架台のミスアライメント制御装置を提供するものである。
【００１５】
すなわち請求項４の発明によれば、複数の傾斜計及び変位計によりミスアライメント検出装置は鋼製ばね支持架台が上向きに反った変形を受けたときは各計測箇所のミスアライメントを検出し、それに基づき演算装置はどの張力ワイヤにどの程度の張力を与えるべきかを計算し張力ワイヤに張力指令を出し、それぞれの張力ワイヤは張力指令に従い鋼製ばね支持架台の上面中央部側を下に押し下げるので、鋼製ばね支持架台は下向きに反る強制変形を受けて変形が相殺されミスアライメントを減少でき、張力指令により鋼製ばね支持架台のミスアライメント量の修正の調整も自由にできる。
【００１６】
【発明の実施の形態】
図１から図４により、本発明の実施の第１形態を説明する。図１は鋼製ばね支持架台の解析モデル図であるが、鋼製ばね支持架台と据え付けられる機器の一般的配置図を示し、図２は本実施の第１形態に係る鋼製ばね支持架台のミスアライメント制御装置の機器配置図、図３は２図中の加熱パネル１２の概念説明図であり、図４は本実施の形態におけるミスアライメント制御の概略フロー図である。図１は、後述の他の各実施の形態に関しても共通のものである。
【００１７】
前記した従来のものと同一部分については、図１ないし図４においても同一の符号を付して示し、相互の関連を明確にして本実施の形態の理解を容易にするとともに、説明を省略する。このことは、以下の他の実施の形態においても同様とする。
【００１８】
図１に示すように、鋼製ばね支持架台１は、複数の回転機械、すなわち発電機車室２、復水器３と一体となった低圧タービン車室４、中圧タービン車室５、高圧タービン車室６の各車室を据え付け支えるデッキプレート７及びデッキプレート７を支えるばね８より構成されている。
【００１９】
図２に示すように、本実施の形態の鋼製ばね支持架台のミスアライメント制御装置においては、鋼製ばね支持架台１上部に、上記各車室の軸受部取付け箇所近傍に同架台１の変位と長手方向の傾斜を計測できるように複数の傾斜計および変位計等９が取り付けられており、これら複数の傾斜計および変位計等９を備えるミスアライメント検出装置１０が、演算装置１１へケーブル等で繋がっている。演算装置１１はミスアライメント検出装置１０からの信号を受け、鋼製ばね支持架台１の下面に張り付いた個々の加熱パネル１２へ加熱指令を出す。加熱パネル１２は、演算装置１１からの指令に基づき、鋼製ばね支持架台１を加熱し、熱変形させる。
【００２０】
加熱パネル１２は、図３にその概念を示すように、加熱媒体として蒸気または熱水を通す屈曲した配管１３と、演算装置１１から加熱指令を受け配管１３内に蒸気または熱水を通過させたり遮断する制御弁１４とより構成される。加熱パネル１２の加熱のオンオフあるいは加熱量の調整は制御弁１４の開度の調整により実施する。なお、加熱パネル１２は電熱線により構成される電気ヒータとすることもできる。この時、加熱パネル１２の加熱のオンオフあるいは加熱量の調整は電流量で制御することにより実施する。
【００２１】
以上の様に構成された実施の第１形態においては、図４にその制御フローの概要を示すように、複数の傾斜計および変位計等９を備えるミスアライメント検出装置１０は、前記各車室の軸受け間のミスアライメントを常時測定する。ミスアライメント量がある許容範囲を超えた時点で、どの軸受け間でどの程度のミスアライメント量であるかをミスアライメント検出装置１０は演算装置１１に連絡する。
【００２２】
演算装置１１は、発生したミスアライメント量を減少させるにはどの加熱パネル１２をどの程度加熱すればよいかを計算し、加熱パネル１２に加熱指令を出す。
【００２３】
演算装置１１より加熱指令を受けた加熱パネル１２は鋼製ばね支持架台１の下面を加熱し、ミスアライメントの原因となっている上向きに反った変形を相殺するような下向きに反る熱変形を鋼製ばね支持架台１に与え、その結果、ミスアライメント量を減少させることができる。また、蒸気タービン等の運転状況による鋼製ばね支持架台１のミスアライメントの大きさに応じて加熱パネル１２に加熱指令を送ることにより、ミスアライメント量の修正の調整が自由にできる。
【００２４】
図５から図７により、本発明の実施の第２形態を説明する。図５は本実施の第２形態に係る鋼製ばね支持架台のミスアライメント制御装置の機器配置図、図６は図５中の冷却パネル１５の概念説明図であり、図７は本実施の形態のミスアライメント制御の概略フロー図である。
【００２５】
図５および図１に示されるように、鋼製ばね支持架台１は、複数の回転機械、すなわち発電機車室２、復水器３と一体となった低圧タービン車室４、中圧タービン車室５、高圧タービン車室６の各車室を据え付け支えるデッキプレート７及びデッキプレート７を支えるばね８より構成されている。
【００２６】
鋼製ばね支持架台１上部には、上記各車室の軸受部取付け箇所近傍に同架台１の変位と長手方向の傾斜を計測できるように複数の傾斜計および変位計等９が取り付けられており、これら複数の傾斜計および変位計等９を備えるミスアライメント検出装置１０が、演算装置１１へケーブル等で繋がっている。
【００２７】
演算装置１１はミスアライメント検出装置１０からの信号を受け、鋼製ばね支持架台１の上面に張り付いた個々の冷却パネル１５へ冷却指令を出す。冷却パネル１５は、演算装置１１からの指令に基づき、鋼製ばね支持架台１を冷却し、熱変形させる。
【００２８】
冷却パネル１５は図６にその概念を示すように、冷却媒体として冷却水である海水又は工業用水を通す屈曲した配管１６と、演算装置１１から冷却指令を受け配管１６内に冷却水を通過させたり遮断する制御弁１７とより構成される。冷却パネル１５の冷却のオンオフあるいは冷却量の調整は制御弁１７の開度の調整により実施する。
【００２９】
以上の様に構成された実施の第２形態においては、図７にその制御フローの概要を示すように、複数の傾斜計および変位計等９を備えるミスアライメント検出装置１０は、上記各車室の軸受け間のミスアライメントを常時測定する。ミスアライメント量がある許容範囲を超えた時点で、どの軸受け間でどの程度のミスアライメント量であるかをミスアライメント検出装置１０は演算装置１１に連絡する。
【００３０】
演算装置１１は、発生したミスアライメント量を減少させるにはどの冷却パネル１５をどの程度冷却すればよいかを計算し、冷却パネル１５に冷却指令を出す。
【００３１】
演算装置１１より冷却指令を受けた冷却パネル１５は鋼製ばね支持架台１の上面を冷却し、ミスアライメントの原因となっている上向きに反った変形を相殺するような下向きに反る熱変形を鋼製ばね支持架台１に与え、その結果、ミスアライメント量を減少させることができる。また、蒸気タービン等の運転状況による鋼製ばね支持架台１のミスアライメントの大きさに応じて冷却パネル１５に冷却指令を送ることにより、ミスアライメント量の修正の調整が自由にできる。
【００３２】
図８および図９により、本発明の実施の第３形態を説明する。図８は本実施の第３形態に係る鋼製ばね支持架台のミスアライメント制御装置の機器配置図であり、図９は本実施の形態のミスアライメント制御の概略フロー図である。
【００３３】
図８および図１に示すように、鋼製ばね支持架台１は、複数の回転機械、すなわち発電機車室２、復水器３と一体となった低圧タービン車室４、中圧タービン車室５、高圧タービン車室６の各車室を据え付け支えるデッキプレート７及びデッキプレート７を支えるばね８より構成されている。
【００３４】
鋼製ばね支持架台１上部には、上記各車室の軸受部取付け箇所近傍に同架台１の変位と長手方向の傾斜を計測できるように複数の傾斜計および変位計等９が取り付けられており、これら複数の傾斜計および変位計等９を備えるミスアライメント検出装置１０が、演算装置１１へケーブル等で繋がっている。
【００３５】
演算装置１１はミスアライメント検出装置１０からの信号を受け、鋼製ばね支持架台１の下面に張り付いた個々の加熱パネル１２へ加熱指令を出すとともに、鋼製ばね支持架台１の上面に張り付いた個々の冷却パネル１５へ冷却指令を出す。なお、本実施の形態に係る加熱パネル１２は前述の図３に示したものと、冷却パネル１５は前述の図６に示したものと同様のものである。
【００３６】
加熱パネル１２は、演算装置１１からの加熱指令に基づき、鋼製ばね支持架台１の下面を加熱し、熱変形させる。冷却パネル１５は、演算装置１１からの冷却指令に基づき、鋼製ばね支持架台１の上面を冷却し、熱変形させる。
【００３７】
加熱パネル１２は、加熱媒体として蒸気または熱水を通す屈曲した配管１３と、演算装置１１から加熱指令を受け配管１３内に蒸気または熱水を通過させたり遮断する制御弁１４とより構成され、加熱パネル１２の加熱のオンオフあるいは加熱量の調整は制御弁１４の開度の調整により行われる。なお、加熱パネル１２は電熱線により構成される電気ヒータとすることもできる。この時、加熱パネル１２の加熱のオンオフあるいは加熱量の調整は電流量を制御することにより実施する。
【００３８】
冷却パネル１５は、冷却媒体として冷却水である海水又は工業用水を通す屈曲した配管１６と、演算装置１１から冷却指令を受け配管１６内に冷却水を通過させたり遮断する制御弁１７とより構成され、冷却パネル１５の冷却のオンオフあるいは冷却量の調整は制御弁１７の開度の調整により行われる。
【００３９】
以上の様に構成された実施の第３形態においては、図９にその制御フローの概要を示すように、複数の傾斜計および変位計等９を備えるミスアライメント検出装置１０は、上記各車室の軸受け間のミスアライメントを常時測定する。ミスアライメント量がある許容範囲を超えた時点で、どの軸受け間でどの程度のミスアライメント量であるかをミスアライメント検出装置１０は演算装置１１に連絡する。
【００４０】
演算装置１１は、発生したミスアライメント量を減少させるにはどの加熱パネル１２をどの程度加熱すればよいかを計算すると同時に、どの冷却パネル１５をどの程度冷却すればよいかを計算し、加熱パネル１２に加熱指令を、そして、冷却パネル１５に冷却指令を出す。
【００４１】
演算装置１１より加熱指令を受けた加熱パネル１２は鋼製ばね支持架台１の下面を加熱し、ミスアライメントの原因となっている上向きに反った変形を相殺するような下向きに反る、熱変形を鋼製ばね支持架台１に与え、その結果ミスアライメント量を減少させる。
【００４２】
演算装置１１より冷却指令を受けた冷却パネル１５は鋼製ばね支持架台１の上面を冷却し、ミスアライメントの原因となっている上向きに反った変形を相殺するような下向きに反る、熱変形を鋼製ばね支持架台１に与え、その結果ミスアライメント量を減少させる。
【００４３】
また、蒸気タービン等の運転状況による鋼製ばね支持架台１のミスアライメントの大きさに応じて、加熱パネル１２に加熱指令を送り、冷却パネル１５には冷却指令を送ることにより、ミスアライメント量の修正の調整が自由にできるものであり、鋼製ばね支持架台１の加熱と冷却を同時に行うことにより、ミスアライメント量の制御を効率良く行うことができる。
【００４４】
図１０から図１２により、本発明の実施の第４形態を説明する。図１０は本実施の第４形態に係る鋼製ばね支持架台のミスアライメント制御装置の機器配置図、図１１は図１０中の張力ワイヤ１８の概念説明図であり、図１２は本実施の形態のミスアライメント制御の概略フロー図である。
【００４５】
図１０および図１に示すように、鋼製ばね支持架台１は、複数の回転機械、すなわち発電機車室２、復水器３と一体となった低圧タービン車室４、中圧タービン車室５、高圧タービン車室６の各車室を据え付け支えるデッキプレート７及びデッキプレート７を支えるばね８より構成されている。
【００４６】
鋼製ばね支持架台１上部には、上記各車室の軸受部取付け箇所近傍に同架台１の変位と長手方向の傾斜を計測できるように複数の傾斜計および変位計等９が取り付けられており、これら複数の傾斜計および変位計等９を備えるミスアライメント検出装置１０が、演算装置１１へケーブル等で繋がっている。
【００４７】
演算装置１１はミスアライメント検出装置１０からの信号を受け、鋼製ばね支持架台１の内部に下面端部から上面中央部に張られた張力ワイヤ１８へ張力指令を出す。張力ワイヤ１８は、演算装置１１からの張力指令に基づき、鋼製ばね支持架台１の上面中央部を下に押下げるように強制変形させる。
【００４８】
張力ワイヤ１８は、図１１にその概念を示すように、例えば、ワイヤ１９とその端部に取り付く張力調整装置としての油圧ジャッキ２０により構成されるものである。この時、張力ワイヤ１８の引力のオンオフあるいは張力の大小の調整は油圧ジャッキ２０への油量で制御することにより実施される。
【００４９】
以上の様に構成された実施の第４形態においては、図１２にその制御フローの概要を示すように、複数の傾斜計および変位計等９を備えるミスアライメント検出装置１０は、各車室の軸受け間のミスアライメントを常時測定する。ミスアライメント量がある許容範囲を超えた時点で、どの軸受け間でどの程度のミスアライメント量であるかをミスアライメント検出装置１０は演算装置１１に連絡する。
【００５０】
演算装置１１は、発生したミスアライメント量を減少させるにはどの張力ワイヤ１８にどの程度張力を与えればよいかを計算し、張力ワイヤ１８に張力指令を出す。
【００５１】
演算装置１１より張力指令を受けた張力ワイヤ１８は鋼製ばね支持架台１の上面中央部を下に押し下げ、ミスアライメントの原因となっている上向きに反った変形を相殺するような下向きに反るような、強制変形を鋼製ばね支持架台１に与え、その結果、ミスアライメント量を減少させることができる。また、蒸気タービン等の運転状況による鋼製ばね支持架台１のミスアライメントの大きさに応じて張力ワイヤ１８に張力指令を送ることにより、ミスアライメント量の修正の調整が自由にできる。
【００５２】
以上本発明の実施の形態を説明したが、上記実施の形態に限定されるものではなく、本発明の範囲内でその具体的構造に種々の変更を加えてもよいことは言うまでもない。
【００５３】
【発明の効果】
（１）以上、請求項１の発明によれば、ミスアライメント制御装置を、複数の回転機械を据え付ける鋼製ばね支持架台上部の同回転機械の軸受部取付け箇所近傍に取り付けた複数の傾斜計及び変位計を備えるミスアライメント検出装置と、同鋼製ばね支持架台の下面の複数箇所に取り付ける複数の加熱パネルと、前記ミスアライメント検出装置からの信号を受けて前記鋼製ばね支持架台を加熱する前記加熱パネルの選定と加熱量の計算を行い各加熱パネルに加熱指令を出す演算装置とを有してなるように構成したので、鋼製ばね支持架台が上向きに反った変形を受けても、鋼製ばね支持架台は下向きに反る熱変形を受けて変形が相殺されミスアライメントを減少でき、また、鋼製ばね支持架台に据え付けられた装置の運転状況に応じて鋼製ばね支持架台のミスアライメント量の修正の調整も加熱指令により随意にできる。
【００５４】
（２）また、請求項２の発明によれば、ミスアライメント制御装置を、複数の回転機械を据え付ける鋼製ばね支持架台上部の同回転機械の軸受部取付け箇所近傍に取り付けた複数の傾斜計及び変位計を備えるミスアライメント検出装置と、同鋼製ばね支持架台の上面の複数箇所に取り付ける複数の冷却パネルと、前記ミスアライメント検出装置からの信号を受けて前記鋼製ばね支持架台を冷却する前記冷却パネルの選定と冷却量の計算を行い各冷却パネルに冷却指令を出す演算装置とを有してなるように構成したので、鋼製ばね支持架台が上向きに反った変形を受けても、鋼製ばね支持架台は下向きに反る熱変形を受けて変形が相殺されミスアライメントを減少でき、また、鋼製ばね支持架台に据え付けられた装置の運転状況に応じて鋼製ばね支持架台のミスアライメント量の修正の調整も冷却指令により随意にできる。
【００５５】
（３）請求項３の発明によれば、ミスアライメント制御装置を、複数の回転機械を据え付ける鋼製ばね支持架台上部の同回転機械の軸受部取付け箇所近傍に取り付けた複数の傾斜計及び変位計を備えるミスアライメント検出装置と、同鋼製ばね支持架台の下面の複数箇所に取り付ける複数の加熱パネルと、同鋼製ばね支持架台の上面の複数箇所に取り付ける複数の冷却パネルと、前記ミスアライメント検出装置からの信号を受けて前記鋼製ばね支持架台を加熱する前記加熱パネルの選定と加熱量の計算を行い各加熱パネルに加熱指令を出し且つ同鋼製ばね支持架台を冷却する前記冷却パネルの選定と冷却量の計算を行い各冷却パネルに冷却指令を出す演算装置とを有してなるように構成したので、鋼製ばね支持架台が上向きに反った変形を受けても、鋼製ばね支持架台は下向きに反る熱変形を受けて変形が相殺されミスアライメントを減少でき、また、鋼製ばね支持架台に据え付けられた装置の運転状況に応じて鋼製ばね支持架台のミスアライメント量の修正の調整も加熱指令と冷却指令により随意にできる。
【００５６】
（４）また、請求項４の発明によれば、ミスアライメント制御装置を、複数の回転機械を据え付ける鋼製ばね支持架台上部の同回転機械の軸受部取付け箇所近傍に取り付けた複数の傾斜計及び変位計を備えるミスアライメント検出装置と、同鋼製ばね支持架台の下面端部側から上面中央部側に張られ張力調整装置を有する複数の張力ワイヤと、前記ミスアライメント検出装置からの信号を受けて張力を与える前記張力ワイヤの選定と張力の計算を行い各前記張力ワイヤに張力指令を出す演算装置とを有してなるように構成したので、鋼製ばね支持架台が上向きに反った変形を受けても、鋼製ばね支持架台は下向きに反る強制変形を受けて変形が相殺されミスアライメントを減少でき、また、鋼製ばね支持架台に据え付けられた装置の運転状況に応じて鋼製ばね支持架台のミスアライメント量の修正の調整も張力指令により随意にできる。
【図面の簡単な説明】
【図１】本発明の実施の各形態に係る鋼製ばね支持架台と据え付けられる機器の一般的配置図である。
【図２】本発明の実施の第１形態に係る鋼製ばね支持架台のミスアライメント制御装置の機器配置図である。
【図３】図２中、加熱パネル１２の概念説明図である。
【図４】実施の第１形態におけるミスアライメント制御の概略フロー図である。
【図５】本発明の実施の第２形態に係る鋼製ばね支持架台のミスアライメント制御装置の機器配置図である。
【図６】図５中、冷却パネル１５の概念説明図である。
【図７】実施の第２形態におけるミスアライメント制御の概略フロー図である。
【図８】本発明の実施の第３形態に係る鋼製ばね支持架台のミスアライメント制御装置の機器配置図である。
【図９】実施の第３形態におけるミスアライメント制御の概略フロー図である。
【図１０】本発明の実施の第４形態に係る鋼製ばね支持架台のミスアライメント制御装置の機器配置図である。
【図１１】図１０中、引力ワイヤー１８の概念説明図である。
【図１２】実施の第４形態におけるミスアライメント制御の概略フロー図である。
【図１３】従来の蒸気タービン用鋼製ばね支持架台における熱による変形の例の説明図である。
【図１４】従来の蒸気タービン用鋼製ばね支持架台における熱による変形の他の例の説明図である。
【図１５】従来の蒸気タービン用鋼製ばね支持架台における熱による変形のその他の例の説明図である。
【符号の説明】
１                鋼製ばね支持架台
２                発電機車室
３                復水器
４                低圧タービン車室
５                中圧タービン車室
６                高圧タービン車室
７                デッキプレート
８                ばね
９                傾斜計及び変位計
１０              ミスアライメント検出装置
１１              演算装置
１２              加熱パネル
１５              冷却パネル
１８              張力ワイヤ
２１，２２，２４  熱伸び
２３              摩擦力
【図１】
0003752087.tif 000002
【図２】
0003752087.tif 000003
【図３】
0003752087.tif 000004
【図４】
0003752087.tif 000005
【図５】
0003752087.tif 000006
【図６】
0003752087.tif 000007
【図７】
0003752087.tif 000008
【図８】
0003752087.tif 000009
【図９】
0003752087.tif 000010
【図１０】
0003752087.tif 000011
【図１１】
0003752087.tif 000012
【図１２】
0003752087.tif 000013
【図１３】
0003752087.tif 000014
【図１４】
0003752087.tif 000015
【図１５】
0003752087.tif 000016